(57)【要約】【課題】簡易な構成で物体に関する情報を提供する。【解決手段】開閉部を有する物体と、物体に取り付けられた無線通信装置と、を備える情報提供装置が提供される。無線通信装置は、開閉部の開閉状態が変化したことを検出する加速度センサと、加速度センサの検出結果に応じた情報を無線送信する通信モジュールと、加速度センサ及び通信モジュールに電力を供給するバッテリと、を備える。【選択図】図２
2019109001.tif 000002
【特許請求の範囲】
【請求項１】
開閉部を有する物体と、
前記物体に取り付けられた無線通信装置と、を備える情報提供装置であって、
前記無線通信装置は、
前記開閉部の開閉状態が変化したことを検出する加速度センサと、
前記加速度センサの検出結果に応じた情報を無線送信する通信モジュールと、
前記加速度センサ及び前記通信モジュールに電力を供給するバッテリと、
を備えることを特徴とする情報提供装置。
【請求項２】
前記物体は直方体状の形状を有し、
前記開閉部は前記物体の１つの面に設けられており、
前記無線通信装置は、前記物体のうち前記開閉部以外の部分に取り付けられていることを特徴とする請求項１に記載の情報提供装置。
【請求項３】
前記物体は直方体状の形状を有し、
前記開閉部は前記物体の１つの面に設けられており、
前記無線通信装置は、前記開閉部に取り付けられていることを特徴とする請求項１に記載の情報提供装置。
【請求項４】
前記加速度センサは、前記開閉部の開閉状態が変化したことによって生じる前記無線通信装置の加速度が閾値を超えたことを検出することを特徴とする請求項１乃至３の何れか１項に記載の情報提供装置。
【請求項５】
前記無線通信装置は、環境を測定する環境センサを更に備え、
前記通信モジュールは、前記環境センサの測定結果に応じた情報を更に無線送信することを特徴とする請求項１乃至４の何れか１項に記載の情報提供装置。
【請求項６】
前記物体は冷蔵庫であることを特徴とする請求項１乃至５の何れか１項に記載の情報提供装置。
【発明の詳細な説明】
【技術分野】
【０００１】
本発明は情報提供装置に関する。
【背景技術】
【０００２】
特許文献１に、食材の詳細な情報と共に庫内の情報を提供できる食材管理システムが提案されている。このシステムでは、収納庫の内部に設けられた撮像部によって食材が撮像され、この画像がサーバに送信される。サーバはこの画像に基づいて食材の在庫を管理する。
【先行技術文献】
【特許文献】
【０００３】
【特許文献１】特開２０１６−５７０２２号公報
【発明の概要】
【発明が解決しようとする課題】
【０００４】
特許文献１の構成では、収納庫の内部の画像を定期的に送信するため、通信量や動作電力が大きい。例えば、バッテリ駆動の装置によってこの撮像・送信を行おうとすると、バッテリの充電頻度が高くなり、ユーザにとって好ましくない。本発明は、簡易な構成で物体に関する情報を提供することを目的とする。
【課題を解決するための手段】
【０００５】
上記課題を解決するために、開閉部を有する物体と、前記物体に取り付けられた無線通信装置と、を備える情報提供装置であって、前記無線通信装置は、前記開閉部の開閉状態が変化したことを検出する加速度センサと、前記加速度センサの検出結果に応じた情報を無線送信する通信モジュールと、前記加速度センサ及び前記通信モジュールに電力を供給するバッテリと、を備えることを特徴とする情報提供装置が提供される。
【発明の効果】
【０００６】
上記手段によって、簡易な構成で物体に関する情報を提供できる。
【図面の簡単な説明】
【０００７】
【図１】一部の実施形態の飲料供給システムの構成を説明する模式図。
【図２】一部の実施形態の冷蔵庫の構成を説明する模式図。
【図３】一部の実施形態の無線通信装置の構成を説明するブロック図。
【図４】一部の実施形態の無線通信装置の動作を説明するフローチャート。
【発明を実施するための形態】
【０００８】
添付の図面を参照しつつ本発明の実施形態について以下に説明する。様々な実施形態を通じて同様の要素には同一の参照符号を付して重複する説明を省略する。また、各実施形態は適宜変更、組み合わせが可能である。本発明の一部の実施形態は、情報提供装置に関する。情報提供装置は自身に関する情報を提供する。以下では、情報提供装置の一例として、在庫管理機能付きの冷蔵庫について説明する。
【０００９】
図１を参照して、飲料品配置サービスを提供するシステムについて説明する。飲料品配置サービスとは、企業に設置された冷蔵庫１００に収容された飲料品をこの企業の従業員が自由に取り出すことができるサービスである。冷蔵庫１００の飲料品が少なくなってくると、飲料品配置サービスの提供者が飲料品を補充し、それに応じた代金を請求する。
【００１０】
冷蔵庫１００から飲料品を取り出す際に、ドアの開閉は必要となる。そこで、無線通信機能を有する冷蔵庫１００のドアの開閉状態が変化したことの通知をサーバ１１０に無線送信する。ドアの開閉状態の変化は、閉じていたドアが開くことであってもよいし、開いていたドアが閉じることであってもよい。サーバ１１０は、この通知に基づいて冷蔵庫１００内の飲料品の在庫を管理する。１度の開閉で複数本の飲料品が取り出されることも考えられるが、大まかな在庫量であれば、開閉の回数をカウントするだけで十分に把握可能である。サーバ１１０は、複数の冷蔵庫１００からの在庫情報を統合してサービス提供者１２０に提供する。サービス提供者１２０は、この在庫情報に基づいて、補充が必要な冷蔵庫１００に飲料品を補充するように配送業者１３０に指示する。配送業者１３０はこの指示に従って冷蔵庫１００に飲料品を補充する。
【００１１】
図２を参照して、冷蔵庫１００の構成例について説明する。冷蔵庫１００は、冷蔵庫本体２０１と、冷蔵庫本体２０１に取り付けられた無線通信装置２０２とによって構成される。冷蔵庫１００はドア２０１ａを有する。冷蔵庫１００は既存の冷蔵庫であってもよい。後述するように、無線通信装置２０２は、ドア２０１ａが閉じられることによって冷蔵庫に生じる振動を検出してもよいし、ドア２０１ａに生じる加速度を検出してもよい。ドア２０１ａが開き戸の場合に、無線通信装置２０２は、ドア２０１ａの取り付け軸を中心とした回転運動によってドア２０１ａに生じる加速度を検出してもよい。ドア２０１ａが引き戸の場合に、無線通信装置２０２は、ドア２０１ａの並進運動によってドア２０１ａに生じる加速度を検出してもよい。無線通信装置２０２は、この振動を精度良く検出可能な位置に取り付けられてもよい。例えば、冷蔵庫に生じる振動を検出する場合に、無線通信装置２０２は、冷蔵庫本体２０１（例えば側面２０１ｂの内側）や、ドア２０１ａの外側又は内側に取り付けられてもよい。ドア２０１ａに生じる加速度を検出する場合に、無線通信装置２０２は、ドア２０１ａの外側又は内側に取り付けられてもよい。図ではドア２０１ａが開き戸であるように示されているが、ドア２０１ａは引き戸であってもよい。
【００１２】
図３を参照して、無線通信装置２０２の構成例について説明する。無線通信装置２０２は、例えばＩｏＴ（Internet of Things）デバイスであり、図２に示すような構成要素を有する。
【００１３】
制御部３０１は、無線通信装置２０２の全体的な動作を司り、具体的には後述する処理、例えば振動の検出結果に応じた情報の生成を行う。制御部３０１は、例えばＣＰＵ（中央処理ユニット）やマイクロプロセッサのような汎用プロセッサで構成されてもよいし、ＡＳＩＣ（特定用途向け集積回路）のような専用のプロセッサで構成されてもよい。記憶部３０２は、無線通信装置２０２の動作に用いられるデータを記憶する。記憶部３０２は、例えば、無線通信装置２０２を識別するための識別子と、情報の宛先となるサーバ１１０のアドレスと、振動を検出するために用いられる閾値とを記憶する。記憶部３０２は、例えばＲＡＭ（ランダムアクセスメモリ）のようなメモリで構成される。制御部３０１が汎用プロセッサで構成される場合に、制御部３０１は記憶部３０２に記憶されているプログラムを読み出すことによって処理を実行する。
【００１４】
加速度センサ３０３は、ドア２０１ａの開閉状態が変化したことを検出する検出装置である。例えば、加速度センサ３０３は、ドア２０１ａの開閉状態が変化したことによって生じる無線通信装置２０２の加速度が閾値を超えたことを検出する。環境センサ３０４は、無線通信装置２０２の周囲の環境（例えば、温度や湿度）を測定する。
【００１５】
通信モジュール３０５は、制御部３０１から受け取った情報をペイロードに含むフレームを生成し、アンテナ３０６を介してサーバ１１０へ無線送信する。このフレームは、ＬＰＷＡ通信方式に準拠してもよい。ＬＰＷＡ通信方式としてＳｉｇｆｏｘ、ＬｏＲａＷＡＮやＮＢ−ＩｏＴなどを適用可能である。制御部３０１から受け取る情報は、加速度センサ３０３の検出結果に応じた情報（ドア２０１ａの開閉状態が変化したこと）や環境センサの測定結果に応じた情報（温度や湿度）である。
【００１６】
バッテリ３０７は、加速度センサ３０３及び通信モジュール３０５を含む無線通信装置２０２の各構成要素に電力を供給する。これによって、無線通信装置２０２は、冷蔵庫本体２０１の電源とは独立して動作可能となる。したがって、既存の冷蔵庫本体２０１に無線通信装置２０２を取り付けるだけで簡易に在庫管理機能を有する冷蔵庫１００を構成可能である。
【００１７】
入出力端子３０８は、無線通信装置２０２に外部デバイスを接続するための端子である。外部デバイスを通じて無線通信装置２０２のユーザは記憶部３０２に記憶された設定を変更可能である。
【００１８】
図４を参照して、無線通信装置２０２の動作例について説明する。ステップＳ４０１で、制御部３０１は、加速度センサ３０３によって検出された加速度が閾値を上回ったか否かを判定する。加速度が閾値を上回った場合（ステップＳ４０１で「ＹＥＳ」）に、処理はステップＳ４０２に進み、それ以外の場合（ステップＳ４０１で「ＮＯ」）に、処理はステップＳ４０１を繰り返す。ステップＳ４０１を繰り返す周期はドア２０１ａの開閉状態が変化したことを検出可能な値であればよく、例えば１０ｍｓである。また、ステップＳ４０１で用いられる閾値は、ドア２０１ａの開閉状態が変化したことを検出可能な値であればよい。
【００１９】
ステップＳ４０２で、制御部３０１は、加速度センサ３０３の検出結果に応じた情報、すなわちドア２０１ａの開閉状態が変化したことを検出したことの通知を、通信モジュール３０５を通じてサーバ１１０へ無線送信する。この通知と合わせて、制御部３０１は、環境センサ３０４の測定結果に応じた情報をサーバ１１０へ無線送信してもよい。
【００２０】
ステップＳ４０３で、制御部３０１は、加速度センサ３０３によって検出された加速度が閾値を下回ったか否かを判定する。加速度が閾値を下回った場合（ステップＳ４０３で「ＹＥＳ」）に、処理はステップＳ４０１に戻り、それ以外の場合（ステップＳ４０３で「ＮＯ」）に、処理はステップＳ４０３を繰り返す。ステップＳ４０３で用いられる閾値は、ドア２０１ａの開閉状態が変化した後に静止状態であることを検出可能な値であればよい。
【００２１】
上述の方法において、制御部３０１は、ドア２０１ａの開閉状態が変化したことを検出するごとにサーバ１１０へ通知した。これに代えて、制御部３０１は、ドア２０１ａの開閉状態が変化したことを検出した回数をカウントし、所定の時間（例えば１時間）ごとにそのカウント値をサーバ１１０へ通知してもよい。
【００２２】
上述の実施形態では、情報提供装置として、冷蔵庫本体２０１と無線通信装置２０２とを備える冷蔵庫１００について説明してきた。冷蔵庫本体２０１に代えて他の物体が用いられてもよい。例えば、他の物体として、たんす、押し入れ、部屋、ガレージなどであってもよい。いずれの物体も開閉部を有しており、この開閉部の開閉状態が変化したことを無線通信装置２０２が検出する。物体は直方体状の形状を有してもよいし、他の形状（例えば球状や円柱状）を有してもよい。物体が直方体状の形状を有する場合に、開閉部が物体の１つの面に設けられ、無線通信装置２０２が開閉部、側面、上面、底面の他、物体の庫内の棚や内壁面及び内壁内部や内壁空間へ取り付けられてもよい。この１つの面に隣接する面（例えば、側面、上面、底面）に取り付けられてもよい。開閉部もドアに限られず、窓、シャッタ、引き出し、蓋などの、閉じた状態と開いた状態とを規定できる構成であればいずれであってもよい。
【符号の説明】
【００２３】
１００  冷蔵庫、２０１  冷蔵庫本体  ２０２  無線通信装置
【図１】
2019109001.tif 000003
【図２】
2019109001.tif 000004
【図３】
2019109001.tif 000005
【図４】
2019109001.tif 000006